(57)【要約】  【課題】本願発明は、デッキプレートの下方に感知器や配線ボックス等の配設体を支持するための配設体支持具の取り付けが容易で、作業性や可搬性が優れる配設体支持具及び配設体支持具の設置構造を提供することを目的としている。  【解決手段】本願発明の配設体支持具２０は、デッキプレートＤの補強部３０に係合部６により固定され、支持部１が、デッキプレートの下方との間に配線空間Ｈを形成する位置において、補強部３０の長手方向に直交する方向に且つ補強部３０よりも外方に延出するように形成されており、また、配設体支持具２０全体が金属板のプレス成形により形成されていることを特徴としている。そのため、配設体支持具及び、配設体を取り付けるのが容易となる。【選択図】図３
2011106135.tif 000002
【特許請求の範囲】
【請求項１】
デッキプレートの下方に感知器や配線ボックス等の配設体を支持するための配設体支持具であって、
全体が金属板のプレス成形により形成され、
デッキプレートの下方に連続して形成された補強部に、塑性変形することで挟持して、又は係合して取付可能な取付部と、
前記補強部に取り付けた状態で、前記デッキプレートの下方との間に配線空間を形成する位置において、該補強部の長手方向に直交する方向に且つ補強部よりも外方に延出した、前記配設体を支持する支持部と
を備えた配設体支持具。
【請求項２】
前記補強部が溝形状で、該補強部の開口幅よりも内方幅が広幅に形成されているデッキプレートの補強部に取り付けられる配設体支持具であって、
前記取付部は、少なくとも一箇所で折れ曲がる折曲部と、前記補強部内に配置されて前記折曲部で折り曲げることにより前記補強部に係合する少なくとも一対の係合部と、前記折り曲げるために把持される少なくとも一対の被把持部と、を備え、
前記係合部は、前記折曲部側に形成されて前記補強部の一方の側壁側に配置される第１係合部と、この第１係合部から前記補強部の内方幅よりも長く離され且つ前記取付部を折り曲げることで他方の側壁側に配置される第２係合部と、を備え、
前記係合部を前記補強部内に配置した状態で、前記第２係合部同士を近接させるべく折曲部で折り曲げることにより前記補強部内に対して回り止め且つ抜け止め状態に係合することを特徴とする請求項１に記載の配設体支持具。
【請求項３】
デッキプレートの下方に感知器や配線ボックス等の配設体を支持するための支持部と、デッキプレートの下方に連続して形成された補強部に、塑性変形することで挟持して、又は係合して取付可能な取付部を備えた配設体支持具の設置構造であって、
前記支持部は、前記デッキプレートの下方との間に配線空間を形成する位置において、前記補強部の長手方向に直交する方向に且つ補強部よりも外方に延出するように、設置される設置構造。
【発明の詳細な説明】
【技術分野】
【０００１】
本願発明は、感知器や配線ボックス等の配設体を、建物の天井など構造物に支持させて配設するための配設体支持具及び配設体支持具の設置構造に関するものである。
【背景技術】
【０００２】
建物の天井など構造物は、上階や屋根等の重量に耐えるだけの強度が要求され、通常はデッキプレート等を張り、その上からコンクリート打設する構造となっている。また、建物の天井などには、デッキプレートの下方に感知器や配線ボックス等の配設体が設置されており、その設置方法は各種提案されている。
【０００３】
その中でも、本願発明の背景技術の一例として、図４に示す特許文献１の配設体支持具４０が知られている。図４に示すように、配設体支持具４０は、天井から吊り下げられた吊ボルト３１に収容部３２と挟持片３３によって、取付金具３４を固定するもので、この取付金具３４に感知器Ｙ等が螺子３５やナット３６を利用して設置されている。
【０００４】
しかし、この吊ボルト３１をデッキプレートＤに取り付けるためには、予めデッキプレートＤの上方にインサート（不図示）を固定し、コンクリート打設後、デッキプレートＤ下方から前記インサートに吊ボルト３１を螺合固定しなければならなかった。そのため、配設体支持具４０を設置するのに、上記作業を行う時間や手間がかかり、非効率であった。
【０００５】
また、配設体支持具４０を設置するのには、インサート、吊ボルト３１、取付金具３４等の複数の部品が必要であり、コストが嵩み、作業性や可搬性の面でも不便であった。
【先行技術文献】
【特許文献】
【０００６】
【特許文献１】意匠登録第１３０８１４２号公報
【発明の開示】
【発明が解決しようとする課題】
【０００７】
そこで、本願発明は上記問題に鑑み、設置作業に必要な部品数を減らし、取り付けが容易で手間や時間がかからない配設体支持具を提供することを目的とする。
【課題を解決するための手段】
【０００８】
本願発明の配設体支持具は、デッキプレートの下方に感知器や配線ボックス等の配設体を支持するための配設体支持具であって、全体が金属板のプレス成形により形成され、デッキプレートの下方に連続して形成された補強部に、塑性変形することで挟持して、又は係合して取付可能な取付部と、前記補強部に取り付けた状態で、前記デッキプレートの下方との間に配線空間を形成する位置において、該補強部の長手方向に直交する方向に且つ補強部よりも外方に延出した、前記配設体を支持する支持部とを備えたことを特徴としている。
【０００９】
上記特徴によれば、特許文献1のように配設体支持具を設置するにあたり、インサート、吊ボルト３１、取付金具３４等を取り付ける作業を必要とせず、デッキプレートの補強部に、取付部を塑性変形することで挟持、又は係合するのみでよく、非常に作業が容易である。また、配設体支持具は、全体が金属板のプレス形成により一体形成されているので、配設体支持具を設置するのに必要な物品数が減りコスト面や作業性、可搬性にも優れる。
【００１０】
さらに、本願発明の配設体支持具は、補強部に取り付けた状態で、前記デッキプレートの下方との間に配線空間を形成する位置において、配設体を支持する支持部を備えている。そのため、配設体支持具を補強部に取り付けた後でも、配線空間が確保されているので、デッキプレートの下方において配設体に配線を取り回すことが容易となる。この配線空間の広さは、配線が強く折り曲げられるほど狭くなく、なおかつ支持部及び配設体がデッキプレートの下方から離れすぎて邪魔にならない程度にすることが望ましい。
【００１１】
また、配設体上面に接続される配線は、配設体上方に位置するデッキプレート下面に穴を空けて、その穴を通してデッキプレート上方へと這わせる場合もある。この場合に、支持部が、補強部の長手方向に延出して形成される場合であると、配設体上方に位置するのは当該補強部となり、そこに配線を通すための穴を空けることとなる。しかし、このように補強部に穴を空けることは、補強部の強度を下げることになり、好ましくない。一方、本願発明の配設体支持具の支持部は、該補強部の長手方向に直交する方向に且つ補強部よりも外方に延出して形成されているので、配設体上方に位置するのは、補強部以外のデッキプレート下面となり、補強部に穴を空ける必要はなく、強度低下を生じることがない。
【００１２】
なお、ここでは補強部の形状については限定しないが、その形状は配設体支持具の取付部が塑性変形することで挟持、又は係合できれば、溝形状やＴ形状突起等であってもよい。
【００１３】
次に、本願発明の配設体支持具は、前記補強部が溝形状で、該補強部の開口幅よりも内方幅が広幅に形成されているデッキプレートの補強部に取り付けられる配設体支持具であって、前記取付部は、少なくとも一箇所で折れ曲がる折曲部と、前記補強部内に配置されて前記折曲部で折り曲げることにより前記補強部に係合する少なくとも一対の係合部と、前記折り曲げるために把持される少なくとも一対の被把持部と、を備え、前記係合部は、前記折曲部側に形成されて前記補強部の一方の側壁側に配置される第１係合部と、この第１係合部から前記補強部の内方幅よりも長く離され且つ前記係合部を折り曲げることで他方の側壁側に配置される第２係合部とを備え、前記係合部を前記補強部内に配置した状態で、前記第２係合部同士を近接させるべく折曲部で折り曲げることにより前記補強部内に対して回り止め且つ抜け止め状態に係合することを特徴としている。
【００１４】
上記特徴によれば、補強部へ配設体支持具の取り付けを行うに際しては、被把持部を把持して取付部本体を折り曲げるのみでよく、取り付け作業は非常に容易である。また、補強部の溝形状が大小各種であっても、第２係合部が、第１係合部から補強部の内方幅よりも長く離されている限りは、折り曲げにより第１係合部と第２係合部がそれぞれの側壁に当接して配設体支持具の取り付け及び回り止めも可能となる。
【００１５】
次に、本願発明の配設体支持具の設置構造は、デッキプレートの下方に感知器や配線ボックス等の配設体を支持するための支持部と、デッキプレートの下方に連続して形成された補強部に、塑性変形することで挟持して、又は係合して取付可能な取付部を備えた配設体支持具の設置構造であって、前記支持部は、前記デッキプレートの下方との間に配線空間を形成する位置において、前記補強部の長手方向に直交する方向に且つ補強部よりも外方に延出するように、設置される設置構造であることを特徴としている。
【００１６】
上記特徴によれば、配設体支持具を補強部に取り付けた後でも、配線空間が確保されているので、配設体を設置して配線を行うことが容易となる。また、支持部が補強部の長手方向に直交する方向に且つ補強部よりも外方に延出するように設置されるため、補強部に配線を通すための穴を空ける必要もない。
【００１７】
また、デッキプレートの下方に連続して形成された補強部に支持部が延出するような設置構造であると、複数の配設体支持具を補強部に取り付ける場合に、支持部全体が補強部に重複するため、その補強部の重複箇所には配設体支持具を取り付けることができない。
【００１８】
しかし、上記特徴のように、補強部に直交する方向に且つ補強部よりも外方に延出するように支持具が設置される設置構造であれば、支持部全体が補強部に重複することはない。つまり、補強部の長さが同じであっても、本願発明の設置構造にすることで、配置できる配設体支持具の数が増える。
【発明の効果】
【００１９】
上記に記したように、本願発明の配設体支持具及び配設体支持具の設置構造によれば、従来に比べて設置作業に必要な物品数を減らし、取り付けが容易で手間や時間がかからず、効率的である。
【図面の簡単な説明】
【００２０】
【図１】本願発明の配設体支持具の一例を示すもので、（ａ）は、配設体支持具の平面図、（ｂ）は側面図、（ｃ）は正面図である。
【図２】図１の配設体支持具をデッキプレートの補強部に取り付ける状態を示すもので、（ａ）は、デッキプレートの補強部の下方から、配設体支持具を取り付ける状態を示す図、（ｂ）は、補強部に配設体支持具の係合部を差し込んだときの状態を下方から見た図、（ｃ）は、補強部に配設体支持具の係合部を差し込んで取付部全体を折り曲げ、係合させた状態を示す図、（ｄ）は、（ｃ）の状態を下方から見た図、（ｅ）は、本願発明の配設体支持具の他例を示すものである。
【図３】図２の（ｃ）、（ｄ）の配設体支持具に感知器を取り付けた状態を示すもので、（ａ）は図２の（ｃ）の斜視図、（ｂ）はさらに、感知器を取り付けた斜視図、（ｃ）は、（ｂ）の状態を、横から見た図である。
【図４】本願発明の背景技術の一例としての配設体支持具を示すものである。
【符号の説明】
【００２１】
１     支持部
２、２Ａ      取付部
３      屈曲部
４、４Ａ      片半部
５      凹部
６      係合部
７ａ、７ｂ  第１係合部、第２係合部
８      脚部
９      頂辺
１０    配線用孔
１１    取付用孔
１２    被把持部
２０、２０Ａ    配設体支持具
２１    開口部
２２    側壁
２３    孔
３０    補強部
３１    吊ボルト
３２    収容部
３３    狭持片
３４    取付金具
３５    螺子
３６    ナット
３７    ブッシング
４０    配設体支持具（従来）
Ｈ      配線空間
Ｄ、ＤＡ      デッキプレート
Ｙ      配設体
【発明を実施するための形態】
【００２２】
以下に、本願発明の実施の形態について、図面を用いて説明する。
【００２３】
図１は、本願発明の配設体支持具の一例を示すもので、（ａ）は、配設体支持具の平面図、（ｂ）は側面図、（ｃ）は正面図である。
【００２４】
図１に示すように、配設体支持具２０は、感知器や配線ボックス等の配設体を支持するための支持部１と、補強部に取り付けることが可能な取付部２と、支持部１と取付部２を接続する脚部８とからなり、これらは、金属板のプレス成形により一体となっている。
【００２５】
取付部２の１対の片半部４は、屈曲部３を中心として、約９０度を成すように形成されている。取付部２の上方に位置する係合部６は、その両端が凹部５となっており、全体が逆台形状となっている。さらに、係合部６の頂辺９の両端には、屈曲部３側に第１係合部７ａ、その反対側に端部が外方に屈曲している第２係合部７ｂが形成されている。
【００２６】
支持部１に設けられている取付孔１０は、配設体Ｙを支持するために螺子等を止めるために用いるもので、支持部１の中心に設けられている配線孔１１は、配設体Ｙ上面に接続される配線を通すために用いるものである。取付孔１０は計４つ設けられているが、取付けする際に全て使用する必要はなく、適宜、配設体Ｙの種類・大きさに応じて取付孔１０を選択し使用することができる。
【００２７】
図２は、図１の配設体支持具２０をデッキプレートＤの補強部３０に取り付ける状態を示すもので、（ａ）は、デッキプレートＤの補強部３０の下方から、配設体支持具２０を取り付ける状態を示す図、（ｂ）は、補強部３０に配設体支持具２０の係合部６を差し込んだときの状態を下方から見た図、（ｃ）は、補強部３０に配設体支持具２０の係合部６を差し込んで、取付部２全体を折り曲げ、係合させた状態を示す図、（ｄ）は、（ｃ）の状態を下方から見た図、（ｅ）は、本願発明の配設体支持具の他例を示すものである。
【００２８】
図２（ａ）に示すように、デッキプレートＤは、上面にコンクリートが打設され下面に補強部３０が設けられている。補強部３０は、開口部２１と側壁２２からなる溝形状をしており、開口幅Ｗ１よりも内方幅Ｗ２が広幅に形成されている。また、係合部６は補強部３０の溝形状に対応した形状となっており、係合部６の高さは、補強部３０の深さと同じか少し短く形成され、配設体支持具２０を補強部３０へ差し込んだときには、係合部６のみが補強部３０に入り込むようになっている。そのため、図２（ｃ）に示すように、上記係合部６を含まない取付部２の下方と脚部８とにより、デッキプレートＤの下面と支持部１との間に、配線空間Ｈを確保することができる。
【００２９】
次に、配設体支持具２０を補強部３０へ取り付ける手順について説明する。まず、図２の（ａ）に示すように、補強部３０の開口部２１の下方から矢印の方向に、配設体支持具２０をそのまま差し込む。その差し込んだ状態を下方から見た様子を図２（ｂ）に示している。係合部６は、片半部４が約９０度開いた状態で、第１係合部７ａと第２係合７ｂとの間の幅が開口幅Ｗ１よりも狭くなるように形成されており、無理なく差し込みをすることが出来る。
【００３０】
その状態から、片半部４より内側に折り曲げられている被把持部１２をペンチ等で挟み、１対の片半部４を図２の（ｂ）の矢印方向に、内側へと折り曲げる。係合部６は、その頂辺９が補強部３０の内方幅Ｗ２よりも長く形成されているので、第１係合部７ａと第２係合部７ｂとの間の長さもその内方幅Ｗ２より長くなる。そのため、１対の片半部４を内側に折り曲げると、係合部６の頂辺９が内方幅Ｗ２よりも長いので、図２の（ｃ）、（ｄ）に示すように第１係合部７ａが一方の側壁２２側に、第２係合部７ｂが他方の側壁２２側にそれぞれ当接し、係合部６が側壁２２に係止することができる。
【００３１】
さらに、強く把持して１対の片半部４を内側に折り曲げると、第１係合部７ａ及び第２係合部７ｂは、側壁２２に当接している状態から、側壁２２に食い込むようになり、強力にがたつきなく取り付けが可能となる。
【００３２】
また、補強部３０の内方幅Ｗ２よりも長い長辺９を有する係合部６が、補強部３０に斜めに架け渡された状態で筋交いのように係合されており、配設体支持具２０に回動させる外力が加わっても、補強部３０内に対して回り止めの効果を奏する。
【００３３】
上記実施例では、１対の片半部４の開口方向が、支持部１が延出する方向と一致し、その方向からペンチ等によって、被把持部１２を挟んで内側へ折り曲げ補強部３０に取り付けている。これは、支持部１が片持ちであるので、屈曲部３を中心に片半部４が設けられた取付部２を支持部１が延出している方向に形成することで、重心位置が支持部１側に移動し、配設体の取り付けにおける安定性が良いからである。しかし、これに限定されることはなく、取付部２を支持部１が延出している方向と反対に形成することもできる。
【００３４】
デッキプレートＤの種類によって補強部３０の溝の形状が異なっていたとしても、係合部６の頂部９の幅が、補強部３０の内方幅Ｗ２よりも長ければ、補強部３０に取り付けることができ、前記配設体支持具２０は、ある程度の溝の形状まで対応が可能である。
【００３５】
図３の（ｅ）は、本願発明の配設体支持具の他例を示すもので、デッキプレートＤＡの下方の補強部３０Ａは溝形状ではなく、三角形状をしている。また、補強部３０Ａの形状に応じて、取付部２Ａは前記補強部を包みこむようにコの字型をしている。そして、１対の片半部４Ａを、塑性変形させて内側に折り曲げ補強部３０Ａに挟持することで、配設体支持具２０Ａを設置している。
【００３６】
図３は、図２の（ｃ）、（ｄ）の配設体支持具２０を補強部３０に取り付けた状態から、さらに感知器Ｙを支持部１に取り付けた状態を示すもので、（ａ）は図２の（ｃ）の斜視図、（ｂ）は感知器Ｙを取り付けた斜視図、（ｃ）は（ｂ）の状態を横から見た図である。
【００３７】
図３の（ａ）に示すように、支持部１が補強部３０の長手方向に直交するように配設体支持具２０が取り付けられている。さらに、取付孔１０と配線孔１１を利用して配設体Ｙを図３の（ｂ）に示すように取り付ける。その状態を、横から見た図が図３の（ｃ）であり、配線空間Ｈが確保されているのが分かる。この配線空間Ｈにより、デッキプレートＤの下方において、配線Ｚ（実線）を配設体Ｙに取り回すのが容易となる。また、配線孔１１の内側面は、支持部１の金属素材が露出している。そのため、そのまま配線Ｚを配線孔１１に通すとなると、配線Ｚを傷つける恐れがあり、配線保護のために樹脂製のブッシング３７を取付ける。
【００３８】
この配線空間Ｈの広さは、被把持部１２をペンチ等で把持するのに支障がなく、なおかつ配線Ｚが強く折り曲げられるほど狭くなく、さらに支持部１及び配設体ＹがデッキプレートＤの下方から離れすぎて邪魔にならない程度にすることが望ましい。
【００３９】
なお、配線ＺをデッキプレートＤの上方へと這わせる場合があるが、その場合には、配線孔１１の上方のデッキプレートＤに配線Ｚ（鎖線）を通すための孔２３を設ける。支持部１が補強部３０の長手方向に直交する方向に且つ補強部３０よりも外方に延出していることで、孔２３を補強部３０以外の場所に空けることができる。一方、支持部１が補強部３０の長手方向に延出している場合は、孔２３を補強部３０内に空けることとなり、補強部３０の強度が低下してしまう。
【００４０】
また、図３に示されている補強部３０に、仮に２つの感知器Ｙを設置することを考えると、本願発明の配設体支持具２０の支持部１が補強部３０の長手方向に直交する方向に且つ補強部３０よりも外方に延出しているため、支持具１の延出する方向が互い違いになるように、配設体支持具２０を並べて２つ設置することができる。しかし、支持部１が補強部３０の長手方向に延出している場合は、補強部３０と支持部１全体が重なってしまい、配設体支持具２０を２つ設置するスペースは限定されることになる。
【００４１】
なお、本願発明の配設体支持具及び配設体支持具の設置構造は、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００４２】
本願発明の配設体支持具及び配設体支持具の設置構造は、感知器や配線ボックス等の配設体を、建物の天井など構造物に支持させて配設させることが要請される産業分野に利用することができる。
【図１】
2011106135.tif 000003
【図２】
2011106135.tif 000004
【図３】
2011106135.tif 000005
【図４】
2011106135.tif 000006